【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
画像の符号化した第１部分に関連し、前記画像の他の部分には関連しない第１部分動きベクトルを用いて、前記画像の第１部分を復号するステップであって、前記第１部分動きベクトルは前記第１部分の復号に用いる対応する第１の基準画像部分を示し、前記第１部分は第１サイズを有するステップと、
前記第１部分全体の、他の部分のではない奥行き情報を与える第１部分奥行き値であって、前記第１部分奥行き値を符号化された前記画像の第１部分と関連づける構造からアクセスされる第１部分奥行き値を処理するステップと、
画像の符号化した第２部分に関連し、前記画像の他の部分には関連しない第２部分動きベクトルを用いて、前記画像の第２部分を復号するステップであって、前記第２部分動きベクトルは前記第２部分の復号に用いる対応する第２の基準画像部分を示し、前記第２部分は前記第１サイズとは異なる第２サイズを有するステップと、
前記第２部分全体の、他の部分のではない奥行き情報を与える第２部分奥行き値を処理するステップと
を有する方法。
【請求項２】
前記第１部分奥行き値を処理するステップは、前記第１部分奥行き値に基づき、奥行きマップの第１部分を生成するステップを有し、前記奥行きマップの前記第１部分は、前記画像の前記第１部分の各画素の奥行き値を有する、請求項１に記載の方法。
【請求項３】
前記第１部分奥行き値は符号化器における奥行き予測子から決定される残余であり、
前記奥行きマップの前記第１部分を生成するステップは、
前記第１部分全体の実際の奥行きを表す代表奥行き値の予測を生成するステップと、
前記予測を前記第１部分奥行き値と結合して、前記画像の前記第１部分の再構成した代表奥行き値を決定するステップと、
前記再構成した代表奥行き値に基づき、前記奥行きマップの前記第１部分をポピュレートするステップと、を有する、請求項２に記載の方法。
【請求項４】
ポピュレートするステップは、前記再構成した代表奥行き値を、前記奥行きマップの前記第１部分全体にコピーするステップを有する、請求項３に記載の方法。
【請求項５】
前記第１部分奥行き値と前記第１部分動きベクトルを含む構造にアクセスするステップをさらに有する、請求項１に記載の方法。
【請求項６】
前記第１部分奥行き値は、前記第１部分全体の実際の奥行きを表す代表奥行き値である、請求項１に記載の方法。
【請求項７】
画像の符号化した第１部分に関連し、前記画像の他の部分には関連しない第１部分動きベクトルを用いて、前記画像の第１部分を復号する手段であって、前記第１部分動きベクトルは前記第１部分の復号に用いる対応する第１の基準画像部分を示し、前記第１部分は第１サイズを有する手段と、
前記第１部分全体の、他の部分のではない奥行き情報を与える第１部分奥行き値であって、前記第１部分奥行き値を符号化された前記画像の第１部分と関連づける構造からアクセスされる第１部分奥行き値を処理する手段と、
画像の符号化した第２部分に関連し、前記画像の他の部分には関連しない第２部分動きベクトルを用いて、前記画像の第２部分を復号する手段であって、前記第２部分動きベクトルは前記第２部分の復号に用いる対応する第２の基準画像部分を示し、前記第２部分は前記第１サイズとは異なる第２サイズを有する手段と、
前記第２部分全体の、他の部分のではない奥行き情報を与える第２部分奥行き値を処理する手段とを有する装置。
【請求項８】
プロセッサに、少なくとも、
画像の符号化した第１部分に関連し、前記画像の他の部分には関連しない第１部分動きベクトルを用いて、前記画像の第１部分を復号するステップであって、前記第１部分動きベクトルは前記第１部分の復号に用いる対応する第１の基準画像部分を示し、前記第１部分は第１サイズを有するステップと、
前記第１部分全体の、他の部分のではない奥行き情報を与える第１部分奥行き値であって、前記第１部分奥行き値を符号化された前記画像の第１部分と関連づける構造からアクセスされる第１部分奥行き値を処理するステップと、
画像の符号化した第２部分に関連し、前記画像の他の部分には関連しない第２部分動きベクトルを用いて、前記画像の第２部分を復号するステップであって、前記第２部分動きベクトルは前記第２部分の復号に用いる対応する第２の基準画像部分を示し、前記第２部分は前記第１サイズとは異なる第２サイズを有するステップと、
前記第２部分全体の、他の部分のではない奥行き情報を与える第２部分奥行き値を処理するステップと
を実行させる命令を記憶したプロセッサ読み取り可能媒体。
【請求項９】
画像の符号化した第１部分に関連し、前記画像の他の部分には関連しない第１部分動きベクトルを用いて、前記画像の第１部分を復号するステップであって、前記第１部分動きベクトルは前記第１部分の復号に用いる対応する第１の基準画像部分を示し、前記第１部分は第１サイズを有するステップと、
前記第１部分全体の、他の部分のではない奥行き情報を与える第１部分奥行き値であって、前記第１部分奥行き値を符号化された前記画像の第１部分と関連づける構造からアクセスされる第１部分奥行き値を処理するステップと、
画像の符号化した第２部分に関連し、前記画像の他の部分には関連しない第２部分動きベクトルを用いて、前記画像の第２部分を復号するステップであって、前記第２部分動きベクトルは前記第２部分の復号に用いる対応する第２の基準画像部分を示し、前記第２部分は前記第１サイズとは異なる第２サイズを有するステップと、
前記第２部分全体の、他の部分のではない奥行き情報を与える第２部分奥行き値を処理するステップと
を実行する復号部又は符号化部を有する装置。
【請求項１０】
前記装置は前記復号部を含む符号化器を有する、請求項９に記載の装置。
【請求項１１】
画像の符号化した第１部分の第１画像セクションであって、前記第１部分は第１サイズを有する第１画像セクションと、
第１部分奥行き値の第１奥行きセクションであって、前記第１部分奥行き値は前記第１部分全体の、他の部分のではない奥行き情報を与える第１奥行きセクションであって、前記ビデオ信号構造が前記第１部分奥行き値を符号化された前記画像の第１部分と関連付ける、第１奥行きセクションと、
前記画像の第１部分の符号化に用いる第１部分動きベクトルの第１動きベクトルセクションであって、前記第１部分動きベクトルは前記第１部分に関連し、前記画像の他の部分には関連しない、前記第１部分動きベクトルは前記第１部分の復号に用いる対応する第１の基準画像部分を示す、第１動きベクトルセクションと、
画像の符号化した第２部分の第２画像セクションであって、前記第２部分は前記第１サイズとは異なる第２サイズを有する第２画像セクションと、
第２部分奥行き値の第２奥行きセクションであって、前記第２部分奥行き値は前記第２部分全体の、他の部分のではない奥行き情報を与える第２奥行きセクションと、
前記画像の第２部分の符号化に用いる第２部分動きベクトルの第２動きベクトルセクションであって、前記第２部分動きベクトルは前記第２部分に関連し、前記画像の他の部分には関連しない、前記第２部分動きベクトルは前記第２部分の復号に用いる対応する第２の基準画像部分を示す、第２動きベクトルセクションと、
を有するビデオ信号構造を記憶したプロセッサ読み取り可能媒体。
【請求項１２】
前記画像の前記第１部分と関連し他の部分とは関連しない第１部分動きベクトルを用いて画像の第１部分を符号化するステップであって、前記第１部分動きベクトルは前記第１部分の符号化に用いられる対応する第１基準画像部分を示し、前記第１部分は第１サイズを有するステップと、
前記第１部分全体の、他の部分のではない奥行き情報を供給する第１部分奥行き値を決定するステップと、
前記画像の前記第２部分と関連し他の部分とは関連しない第２部分動きベクトルを用いて画像の第２部分を符号化するステップであって、前記第２部分動きベクトルは前記第２部分の符号化に用いられる対応する第２基準画像部分を示し、前記第２部分は前記第１サイズとは異なる第２サイズを有するステップと、
前記第２部分全体の、他の部分のではない奥行き情報を供給する第２部分奥行き値を決定するステップと、
前記符号化第１部分と前記第１部分奥行き値と前記符号化第２部分と前記第２部分奥行き値とを構造化フォーマットにアセンブルするステップと、
を有する方法。
【請求項１３】
前記第１部分奥行き値と前記第２部分奥行き値とを前記構造化フォーマットにアセンブルするステップが、前記第１部分奥行き値と第２部分奥行き値とを符号化したものをアセンブルするステップを有するように、アセンブルするステップの前に、前記第１部分奥行き値と前記第２部分奥行き値とを符号化するステップをさらに有する、請求項２４に記載の方法。
【請求項１４】
前記第１部分全体の実際の奥行きを表す代表奥行き値を決定するステップと、
前記代表奥行き値の予測を生成するステップと、
前記予測を前記代表奥行き値と結合して、前記第１部分奥行き値を決定するステップと、をさらに有する、請求項１２に記載の方法。
【請求項１５】
前記画像の第１部分を符号化するステップは、前記第１サイズを決定するステップを有し、
前記第１部分奥行き値を決定するステップは、前記決定した第１サイズに応じて行われる、請求項１２乃至１４いずれか一項に記載の方法。
【請求項１６】
前記画像の前記第１部分と関連し他の部分とは関連しない第１部分動きベクトルを用いて、画像の第１部分を符号化する手段であって、前記第１部分動きベクトルは前記第１部分の符号化に用いられる対応する第１の基準画像部分を示し、前記第１部分は第１サイズを有する手段と、
前記第１部分全体の、他の部分のではない奥行き情報を供給する第１部分奥行き値を決定する手段と、
前記画像の前記第２部分と関連し他の部分とは関連しない第２部分動きベクトルを用いて画像の第２部分を符号化する手段であって、前記第２部分動きベクトルは前記第２部分の符号化に用いられる対応する第２の基準画像部分を示し、前記第２部分は前記第１サイズとは異なる第２サイズを有する手段と、
前記第２部分全体の、他の部分のではない奥行き情報を供給する第２部分奥行き値を決定する手段と、
前記符号化第１部分と前記第１部分奥行き値と前記符号化第２部分と前記第２部分奥行き値とを構造化フォーマットにアセンブルする手段と、を有する装置。
【請求項１７】
プロセッサに、少なくとも、
前記画像の前記第１部分と関連し他の部分とは関連しない第１部分動きベクトルを用いて画像の第１部分を符号化するステップであって、前記第１部分動きベクトルは前記第１部分の符号化に用いられる対応する第１基準画像部分を示し、前記第１部分は第１サイズを有するステップと、
前記第１部分全体の、他の部分のではない奥行き情報を供給する第１部分奥行き値を決定するステップと、
前記画像の前記第２部分と関連し他の部分とは関連しない第２部分動きベクトルを用いて画像の第２部分を符号化するステップであって、前記第２部分動きベクトルは前記第２部分の符号化に用いられる対応する第２の基準画像部分を示し、前記第２部分は前記第１サイズとは異なる第２サイズを有する、
前記第２部分全体の、他の部分のではない奥行き情報を供給する第２部分奥行き値を決定するステップと、
前記符号化第１部分と前記第１部分奥行き値と前記符号化第２部分と前記第２部分奥行き値とを構造化フォーマットにアセンブルするステップと、
を実行させる命令を格納した、プロセッサ読み取り可能媒体。
【請求項１８】
装置であって、
前記画像の前記第１部分と関連し他の部分とは関連しない第１部分動きベクトルを用いて画像の第１部分を符号化し、前記第１部分動きベクトルは前記第１部分の符号化に用いられる対応する第１の基準画像部分を示し、前記第１部分は第１サイズを有し、
前記画像の前記第２部分と関連し他の部分とは関連しない第２部分動きベクトルを用いて画像の第２部分を符号化し、前記第２部分動きベクトルは前記第２部分の符号化に用いられる対応する第２の基準画像部分を示し、前記第２部分は前記第１サイズとは異なる第２サイズを有する、符号化部と、
前記第１部分全体の、他の部分のではない奥行き情報を供給する第１部分奥行き値を決定し、前記第２部分全体の、他の部分のではない奥行き情報を供給する第２部分奥行き値を決定する、奥行き代表計算器と、
前記符号化第１部分と前記第１部分奥行き値と前記符号化第２部分と前記第２部分奥行き値とを構造化フォーマットにアセンブルするアセンブリ部と、を有する装置。
【請求項１９】
前記画像の第１部分を符号化するステップは、前記第１サイズを決定するステップを有し、
前記第１部分奥行き値を決定するステップは、前記決定した第１サイズに応じて行われる、請求項１８に記載の装置。
【請求項２０】
請求項１乃至６又は１２乃至１５いずれか一項に記載の方法を実行するように構成された装置。
【請求項２１】
プロセッサに、請求項１乃至６又は１２乃至１５いずれか一項に記載の方法を実行させる命令を記憶したプロセッサ読み取り可能媒体。